(57)【要約】【課題】沿面距離及び空間距離を実質的に確保しつつ（すなわち、除細動保護を実現しつつ）小型化を実現することができる生体情報検出センサを提供する。【解決手段】多段配置された複数の第１基板２１ａ１〜２１ａ３と、第２基板２２と、前記複数の第１基板２１ａ１〜２１ａ３のうち隣接配置された第１基板間を電気的に接続する第１接続部２１ｃと、絶縁部材２３と、を備え、前記複数の第１基板２１ａ１〜２１ａ３には、それぞれ、生体情報検出部が電気的に接続される耐圧抵抗２６が実装され、前記第２基板２２には、前記生体情報検出部から前記耐圧抵抗２６を介して入力される生体情報を処理する回路が実装され、前記絶縁部材２３は、前記複数の第１基板２１ａ１〜２１ａ３のうち隣接する第１基板間に配置された生体情報検出センサ。【選択図】  図９
2018175772.tif 000002
【特許請求の範囲】
【請求項１】
多段配置された複数の第１基板と、
第２基板と、
前記複数の第１基板のうち隣接配置された第１基板間を電気的に接続する第１接続部と、
絶縁部材と、を備え、
前記複数の第１基板には、それぞれ、生体情報検出部が電気的に接続される耐圧抵抗が実装され、
前記第２基板には、前記生体情報検出部から前記耐圧抵抗を介して入力される生体情報を処理する回路が実装され、
前記絶縁部材は、前記複数の第１基板のうち隣接する第１基板間に配置された生体情報検出センサ。
【請求項２】
前記複数の第１基板及び前記第１接続部は、一部が前記第２基板に固定されたフレキシブル基板を少なくとも１回折り返すことで構成される請求項１に記載の生体情報検出センサ。
【請求項３】
前記複数の第１基板は、隣接する基板が互いに対向した状態で多段配置される請求項１又は２に記載の生体情報検出センサ。
【請求項４】
多段配置された第３基板及び第４基板と、
前記第３基板と前記第４基板とを電気的に接続する第２接続部と、
絶縁部材と、を備え、
前記第３基板には、生体情報検出部が電気的に接続される耐圧抵抗が実装され、
前記第４基板には、前記生体情報検出部から前記耐圧抵抗及び前記第２接続部を介して入力される生体情報を処理する回路が実装され、
前記絶縁部材は、前記第３基板と前記第４基板との間に配置された生体情報検出センサ。
【請求項５】
前記第３基板及び前記第２接続部は、一部が前記第４基板に固定されたフレキシブル基板を前記第４基板側に折り返すことで構成される請求項４に記載の生体情報検出センサ。
【請求項６】
前記第３基板及び第４基板は、互いに対向した状態で多段配置される請求項４又は５に記載の生体情報検出センサ。
【請求項７】
複数の前記第３基板を備え、
複数の前記第３基板のうち隣接配置された第３基板間を電気的に接続する第３接続部をさらに備え、
前記絶縁部材は、前記第３基板と前記第４基板との間、及び、複数の前記第３基板のうち隣接配置された第３基板間に配置された請求項４に記載の生体情報検出センサ。
【請求項８】
複数の前記第３基板、前記第２接続部、及び、前記第３接続部は、一部が前記第４基板に固定されたフレキシブル基板を前記第４基板側に少なくとも２回折り返すことで構成される請求項７に記載の生体情報検出センサ。
【請求項９】
複数の前記第３基板は、隣接する基板が互いに対向した状態で多段配置される請求項７又は８に記載の生体情報検出センサ。
【請求項１０】
前記第４基板、前記フレキシブル基板、及び、前記絶縁部材を収容する筐体をさらに備え、
前記第４基板は、前記筐体に固定された状態で前記筐体に収容され、
前記フレキシブル基板は、前記第４基板と前記筐体との間に挟持された状態で前記筐体に収容される請求項８に記載の生体情報検出センサ。
【請求項１１】
前記筐体は、前記生体情報検出部が電気的に接続される導電部を含み、
前記フレキシブル基板には、前記導電部に電気的に接続されるバネ接点が実装され、
前記フレキシブル基板は、前記第４基板と前記筐体との間に挟持され、かつ、前記バネ接点が前記筐体の前記導電部に電気的に接続された状態で前記筐体に収容される請求項１０に記載の生体情報検出センサ。
【請求項１２】
前記絶縁部材は、前記耐圧抵抗を覆った状態で前記フレキシブル基板に巻き付けられたシート状の絶縁部材である請求項８から１１のいずれか１項に記載の生体情報検出センサ。
【発明の詳細な説明】
【技術分野】
【０００１】
本発明は、生体情報検出センサに関する。
【背景技術】
【０００２】
従来、医療機器の分野においては、除細動保護用の耐圧抵抗を用いた生体情報検出センサ（医療用テレメータ）が知られている（例えば、特許文献１参照）。
【先行技術文献】
【特許文献】
【０００３】
【特許文献１】特開２０１４−６８７１８号公報
【発明の概要】
【発明が解決しようとする課題】
【０００４】
しかしながら、一般的に、生体情報検出センサにおいては、除細動保護用の耐圧抵抗を実装する場合、センサ保護等の観点から、沿面距離（例えば、４ｍｍ）及び空間距離（例えば、４ｍｍ）を確保することが求められており、その分、生体情報検出センサの小型化が難しいというという課題がある。
【０００５】
本発明は、上記事情に鑑みてなされたものであり、沿面距離及び空間距離を実質的に確保しつつ（すなわち、除細動保護を実現しつつ）小型化を実現することができる生体情報検出センサを提供することを目的とする。
【課題を解決するための手段】
【０００６】
上記目的を達成するために、本発明の一つの側面は、多段配置された複数の第１基板と、第２基板と、前記複数の第１基板のうち隣接配置された第１基板間を電気的に接続する第１接続部と、絶縁部材と、を備え、前記複数の第１基板には、それぞれ、生体情報検出部が電気的に接続される耐圧抵抗が実装され、前記第２基板には、前記生体情報検出部から前記耐圧抵抗を介して入力される生体情報を処理する回路が実装され、前記絶縁部材は、前記複数の第１基板のうち隣接する第１基板間に配置された生体情報検出センサであることを特徴とする。
【０００７】
この側面によれば、沿面距離及び空間距離を実質的に確保しつつ（すなわち、除細動保護を実現しつつ）小型化を実現することができる生体情報検出センサを提供することができる。
【０００８】
これは、第１に、複数の第１基板を多段配置することで、複数の第１基板を多段配置しない場合と比べ、生体情報検出センサの、複数の第１基板の配置方向に直交する方向の寸法を短くしたこと、第２に、複数の第１基板のうち隣接する第１基板間に絶縁部材を配置し、空間距離を実質的に０（絶縁部材の厚み分）にすることで、生体情報検出センサの、複数の第１基板の配置方向の寸法を短くしたこと、によるものである。
【図面の簡単な説明】
【０００９】
【図１】医用テレメータシステム１０の概略構成図である。
【図２】生体情報検出センサ２０の概略断面図である。
【図３】生体情報検出センサ２０等のハード構成図である。
【図４】フレキシブル基板２１とリジッド基板２２との関係を説明するための平面図である。
【図５】電極パッド６０の概略断面図である。
【図６】生体情報検出センサ２０が装着された電極パッド６０の概略断面図である。
【図７】フレキシブル基板２１の変形例を説明するための図である。
【図８】フレキシブル基板２１の他の変形例を説明するための図である。
【図９】フレキシブル基板２１の他の変形例を説明するための図である。
【図１０】リジッド基板２２の変形例を説明するための図である。
【図１１】リジッド基板２２の他の変形例を説明するための図である。
【図１２】リジッド基板２２の他の変形例を説明するための図である。
【発明を実施するための形態】
【００１０】
以下、本発明の一実施形態である医用テレメータシステム１０について添付図面を参照しながら説明する。各図において対応する構成要素には同一の符号が付され、重複する説明は省略される。
【００１１】
［医用テレメータシステム１０の概要］
図１は、医用テレメータシステム１０の概略構成図である。
【００１２】
図１に示すように、医用テレメータシステム１０は、生体情報検出センサ２０、受信機３０、及び、生体情報表示装置４０等を備える。
【００１３】
生体情報検出センサ２０は、生体（以下、患者５０という）の胸部に貼り付けられた電極パッド６０に装着されて当該患者５０の生体情報（本実施形態では心電図）の測定を行い、測定した心電図（心電図データ）を受信機３０に無線で送信する。
【００１４】
受信機３０は、例えば、スマートフォンであり、生体情報検出センサ２０が無線で送信した心電図を受信し、当該受信機３０が備えるディスプレイ（図示せず）に表示する。または、受信した心電図を生体情報表示装置４０に無線で送信（転送）する。受信機３０としてスマートフォンを例示したが、生体情報検出センサ２０から無線で生体信号を受信し、生体情報表示装置４０へ送信できる態様であれば、これに限られない。
【００１５】
生体情報表示装置４０は、受信機３０が送信した心電図を受信し、当該生体情報表示装置４０が備えるディスプレイ（図示せず）に表示する。
【００１６】
［生体情報検出センサ］
次に、生体情報検出センサ２０について説明する。図２は、生体情報検出センサ２０の概略断面図である。図３は、生体情報検出センサ２０等のハード構成図である。
【００１７】
図２に示すように、生体情報検出センサ２０は、フレキシブル基板２１と、リジッド基板２２と、絶縁部材２３と、これらを収容する筐体２４と、を備える。
【００１８】
筐体２４は、例えば、矩形箱状の筐体である。筐体２４には、電極パッド６０に設けられた３つの接点６１（図３、図５参照）にそれぞれ電気的に接続される３つの導電部２５が設けられる。具体的には、３つの導電部２５は、電極パッド６０が装着される筐体２４の底部に形成された３つの貫通穴２４ａにそれぞれ挿入された状態で筐体２４に固定される。なお、３つの貫通穴２４ａは、筐体２４の底部の外面と内面とを貫通している。
【００１９】
次に、リジッド基板２２について説明する。
【００２０】
図２に示すように、リジッド基板２２は、筐体２４に固定された状態で筐体２４に収容される。具体的には、リジッド基板２２は、当該リジッド基板２２と筐体２４の底部とが平行（又は略平行）で、かつ、両者間にフレキシブル基板２１が配置されるスペースＳが形成された状態で筐体２４にネジや接着剤等の公知の手段で固定される。リジッド基板２２が本発明の第４基板に相当する。
【００２１】
図３に示すように、リジッド基板２２には、心電図測定回路２２ａ、Ａ／Ｄ変換器２２ｂ、ＣＰＵ２２ｃ、無線通信部２２ｄが実装されている。心電図測定回路２２ａ、Ａ／Ｄ変換器２２ｂ、ＣＰＵ２２ｃ、無線通信部２２ｄが本発明の回路に相当する。
【００２２】
心電図測定回路２２ａには、電極パッド６０に設けられた３つの電極６３がそれぞれ３つの耐圧抵抗２６を介して電気的に接続される。心電図測定回路２２ａは、３つの耐圧抵抗２６を介して入力される信号を増幅等して心電図信号（ＥＣＧ信号）として出力する。
【００２３】
Ａ／Ｄ変換器２２ｂは、心電図測定回路２２ａから入力される心電図信号（アナログ信号）を所定周波数でサンプリングして心電図データ（ディジタル値）に変換する。
【００２４】
ＣＰＵ２２ｃは、所定プログラムを実行することで、生体情報検出センサ２０を構成する各種ハードウェア（例えば、無線通信部２２ｄ）を制御する。例えば、ＣＰＵ２２ｃは、Ａ／Ｄ変換器２２ｂによって変換された心電図（心電図データ）を、無線通信部２２ｄを介して受信機３０に送信する。
【００２５】
無線通信部２２ｄは、例えば、ＢＬＥ（Bluetooth Low Energy）技術に対応できる通信モジュール（例えば、ＢＬＥモジュール）であり、アンテナ２２ｅを介して、近距離（例えば１００ｍｍ）内の他のＢＬＥ対応デバイス（例えば、受信機３０）と無線通信する。
【００２６】
次に、フレキシブル基板２１について説明する。
【００２７】
図４は、フレキシブル基板２１とリジッド基板２２との関係を説明するための平面図である。
【００２８】
図４に示すように、フレキシブル基板２１は、一部がリジッド基板２２に固定され、かつ、リジッド基板２２の一辺Ｅ１から当該一辺Ｅ１に対して直角（又は略直角）の方向に延びている。
【００２９】
図２に示すように、フレキシブル基板２１は、リジッド基板２２側に蛇腹状に２回折り返され（折り畳まれ）、第１基板部２１ａ１と第２基板部２１ａ２とリジッド基板２２とが多段配置された状態でリジッド基板２２と筐体２４の底部との間に挟持される。その際、フレキシブル基板２１は、第１基板部２１ａ１とリジッド基板２２との間の空間距離Ｌ１、及び、第１基板部２１ａ１と第２基板部２１ａ２との間の空間距離Ｌ２が実質的に０（絶縁部材２３の厚み分）となるようにリジッド基板２２と筐体２４の底部との間に挟持される。第１基板部２１ａ１及び第２基板部２１ａ２が本発明の第３基板に相当し、リジッド基板２２が本発明の第４基板に相当する。
【００３０】
このように、フレキシブル基板２１を蛇腹状に折り返し、第１基板部２１ａ１と第２基板部２１ａ２とリジッド基板２２とを多段配置したことで、フレキシブル基板２１を折り返さない場合（例えば、図４参照）と比べ、生体情報検出センサ２０の図２中Ｘ方向の寸法を短くすることができる。
【００３１】
図２に示すように、フレキシブル基板２１がリジッド基板２２と筐体２４の底部との間に挟持された状態で、第２基板部２１ａ２に実装された３つのバネ接点２７がそれぞれ筐体２４に設けられた３つの導電部２５に電気的に接続される。また、第１基板部２１ａ１とリジッド基板２２との間、及び、第１基板部２１ａ１と第２基板部２１ａ２との間に、第１基板部２１ａ１、第２基板部２１ａ２それぞれに実装された耐圧抵抗２６を覆った状態でフレキシブル基板２１に巻き付けられた耐高電圧シート（図示せず）等のシート状の絶縁部材２３が配置される。
【００３２】
このように、第１基板部２１ａ１とリジッド基板２２との間、及び、第１基板部２１ａ１と第２基板部２１ａ２との間に絶縁部材２３を配置したことで、空間距離Ｌ１、Ｌ２を実質的に０（絶縁部材２３の厚み分）にしても、第１基板部２１ａ１とリジッド基板２２との間、及び、第１基板部２１ａ１と第２基板部２１ａ２との間を絶縁することができる。その結果、空間距離Ｌ１、Ｌ２（例えば、Ｌ１＝４ｍｍ及びＬ２＝４ｍｍの合計８ｍｍ）を設けることで、第１基板部２１ａ１とリジッド基板２２との間、及び、第１基板部２１ａ１と第２基板部２１ａ２との間を絶縁する場合と比べ、生体情報検出センサ２０の図２中Ｙ方向の寸法を短くすることができる。
【００３３】
第１基板部２１ａ１とリジッド基板２２は、第１屈曲部２１ｂによって電気的に接続されている。第１基板部２１ａ１と第２基板部２１ａ２は、第２屈曲部２１ｃによって電気的に接続されている。第１屈曲部２１ｂが本発明の第２接続部に相当し、第２屈曲部２１ｃが本発明の第３接続部に相当する。
【００３４】
第１基板部２１ａ１、第２基板部２１ａ２、第１屈曲部２１ｂ、及び、第２屈曲部２１ｃは、フレキシブル基板２１の一部で、フレキシブル基板２１をリジッド基板２２側に蛇腹状に２回折り返すことで構成される。
【００３５】
フレキシブル基板２１には、電極パッド６０に設けられた３つの電極６３に対応して３つの耐圧抵抗２６が実装される。具体的には、第１基板部２１ａ１に１つの耐圧抵抗２６が実装され、第２基板部２１ａ２に２つの耐圧抵抗２６が実装される。なお、第１基板部２１ａ１に２つの耐圧抵抗２６を実装し、第２基板部２１ａ２に１つの耐圧抵抗２６を実装してもよい。耐圧抵抗２６は、少なくとも沿面距離Ｌ３（図２参照。例えば、４ｍｍ）を保った状態で実装される。
【００３６】
また、フレキシブル基板２１（第２基板部２１ａ２）には、筐体２４に設けられた３つの導電部２５にそれぞれ電気的に接続される３つのバネ接点２７が実装される。図３に示すように、３つのバネ接点２７はそれぞれ配線パターン等によって３つの耐圧抵抗２６に電気的に接続されている。また、３つの耐圧抵抗２６は、それぞれ配線パターン等によってリジッド基板２２に実装された心電図測定回路２２ａに電気的に接続されている。
【００３７】
［電極パッド］
次に、電極パッド６０について説明する。図５は、電極パッド６０の概略断面図である。図６は、生体情報検出センサ２０が装着された電極パッド６０の概略断面図である。
【００３８】
図５に示すように、電極パッド６０は、生体情報検出センサ２０（筐体２４）が装着される側の面（以下、センサ装着面６０ａという）と、その反対側の面（以下、粘着面６０ｂという）と、を備える。
【００３９】
センサ装着面６０ａには、当該センサ装着面６０ａに装着された生体情報検出センサ２０の３つの導電部２５にそれぞれ電気的に接続される３つの接点６１が設けられる。図６に示すように、生体情報検出センサ２０は、３つの導電部２５と３つの接点６１とがそれぞれ電気的に接続された状態で電極パッド６０（センサ装着面６０ａ）に公知の手段で着脱可能に装着される。
【００４０】
粘着面６０ｂには、粘着部６２、３つの電極６３（３リード電極（Ｒ、Ｌ、Ｆ））が設けられる。粘着部６２の作用によって、生体情報検出センサ２０(及び生体情報検出センサ２０が装着された電極パッド６０)は、３つの電極６３が患者５０の胸部に接触した状態で患者５０の胸部に貼り付けられる。図３に示すように、３つの電極６３はそれぞれ、配線パターン等によって３つの接点６１に電気的に接続されている。
【００４１】
以上説明したように、本実施形態によれば、沿面距離及び空間距離を実質的に確保しつつ（すなわち、除細動保護を実現しつつ）小型化（図２中Ｘ方向及びＹ方向の小型化）を実現することができる生体情報検出センサ２０を提供することができる。
【００４２】
これは、第１に、複数の第１基板（第１基板部２１ａ１と第２基板部２１ａ２）を多段配置することで、複数の第１基板を多段配置しない場合と比べ、生体情報検出センサ２０の、複数の第１基板の配置方向に直交する方向（図２中Ｘ方向）の寸法を短くしたこと、第２に、第１基板部２１ａ１とリジッド基板２２との間、及び、第１基板部２１ａ１と第２基板部２１ａ２との間に絶縁部材２３を配置し、空間距離Ｌ１、Ｌ２を実質的に０（絶縁部材２３の厚み分）にすることで、生体情報検出センサ２０の、複数の第１基板（第１基板部２１ａ１と第２基板部２１ａ２）の配置方向（図２中Ｙ方向）の寸法を短くしたこと、によるものである。
【００４３】
具体的には、本実施形態によれば、次の効果を奏することができる。
【００４４】
第１に、フレキシブル基板２１を蛇腹状に折り返し、第１基板部２１ａ１と第２基板部２１ａ２とリジッド基板２２とを多段配置したことで、フレキシブル基板２１を折り返さない場合（例えば、図４参照）と比べ、生体情報検出センサ２０の図２中Ｘ方向の寸法を短くすることができる。
【００４５】
第２に、第１基板部２１ａ１とリジッド基板２２との間、及び、第１基板部２１ａ１と第２基板部２１ａ２との間に絶縁部材２３を配置したことで、空間距離Ｌ１、Ｌ２を実質的に０（絶縁部材２３の厚み分）にしても、第１基板部２１ａ１とリジッド基板２２との間、及び、第１基板部２１ａ１と第２基板部２１ａ２との間を絶縁することができる。その結果、空間距離Ｌ１、Ｌ２（例えば、Ｌ１＝４ｍｍ及びＬ２＝４ｍｍの合計８ｍｍ）を設けることで、第１基板部２１ａ１とリジッド基板２２との間、及び、第１基板部２１ａ１と第２基板部２１ａ２との間を絶縁する場合と比べ、生体情報検出センサ２０の図２中Ｙ方向の寸法を短くすることができる。
【００４６】
次に、変形例について説明する。
【００４７】
まず、フレキシブル基板２１の変形例について説明する。図７は、フレキシブル基板２１の変形例を説明するための図である。なお、図７中、筐体２４、バネ接点２７等は省略されている。
【００４８】
図７に示すように、本変形例のフレキシブル基板２１Ａは、リジッド基板２２側に１回折り返され、第１基板部２１ａ１とリジッド基板２２とが多段配置された状態でリジッド基板２２と筐体２４の底部との間に挟持される。その際、フレキシブル基板２１Ａは、第１基板部２１ａ１とリジッド基板２２との間の空間距離Ｌ１が実質的に０（絶縁部材２３の厚み分）となるようにリジッド基板２２と筐体２４の底部との間に挟持される。第１基板部２１ａ１には、３つの耐圧抵抗２６が実装される。
【００４９】
本変形例によっても、上記実施形態と同様の効果を奏することができる。
【００５０】
次に、フレキシブル基板２１の他の変形例について説明する。図８は、フレキシブル基板２１の他の変形例を説明するための図である。なお、図８中、筐体２４、バネ接点２７等は省略されている。
【００５１】
図８に示すように、本変形例のフレキシブル基板２１Ｂは、リジッド基板２２側に３回折り返され、第１基板部２１ａ１と第２基板部２１ａ２と第３基板部２１ａ３とリジッド基板２２とが多段配置された状態でリジッド基板２２と筐体２４の底部との間に挟持される。その際、フレキシブル基板２１Ｂは、第１基板部２１ａ１とリジッド基板２２との間の空間距離Ｌ１、及び、第１基板部２１ａ１と第２基板部２１ａ２との間の空間距離Ｌ２（さらに、第２基板部２１ａ２と第３基板部２１ａ３との間の空間距離Ｌ４）が実質的に０（絶縁部材２３の厚み分）となるようにリジッド基板２２と筐体２４の底部との間に挟持される。第１基板部２１ａ１〜第３基板部２１ａ３には、それぞれ、１つの耐圧抵抗２６が実装される。
【００５２】
本変形例によっても、上記実施形態と同様の効果を奏することができる。
【００５３】
次に、フレキシブル基板２１の他の変形例について説明する。図９は、フレキシブル基板２１の他の変形例を説明するための図である。なお、図９中、筐体２４、バネ接点２７等は省略されている。
【００５４】
図９に示すように、本変形例のフレキシブル基板２１Ｃは、蛇腹状に２回折り返され、第１基板部２１ａ１と第２基板部２１ａ２と第３基板部２１ａ３とが多段配置された状態でリジッド基板２２に隣接した位置に配置されている。その際、フレキシブル基板２１Ｃは、第１基板部２１ａ１と第２基板部２１ａ２との間の空間距離Ｌ５、及び、第２基板部２１ａ２と第３基板部２１ａ３との間の空間距離Ｌ６が実質的に０（絶縁部材２３の厚み分）となるように所定手段で保持される。第１基板部２１ａ１〜第３基板部２１ａ３には、それぞれ、１つの耐圧抵抗２６が実装される。図９中、第１基板部２１ａ１と第２基板部２１ａ２と第３基板部２１ａ３とが本発明の複数の第１基板に相当し、第２屈曲部２１ｃが本発明の第１接続部に相当する。
【００５５】
本変形例によっても、上記実施形態と同様の効果を奏することができる。すなわち、沿面距離及び空間距離を実質的に確保しつつ（すなわち、除細動保護を実現しつつ）小型化を実現することができる生体情報検出センサを提供することができる。
【００５６】
これは、第１に、複数の第１基板（第１基板部２１ａ１と第２基板部２１ａ２と第３基板部２１ａ３）を多段配置することで、複数の第１基板を多段配置しない場合と比べ、生体情報検出センサ２０の、複数の第１基板の配置方向に直交する方向（図９中Ｘ方向）の寸法を短くしたこと、第２に、複数の第１基板のうち隣接する第１基板間（第１基板部２１ａ１と第２基板部２１ａ２との間、及び、第２基板部２１ａ２と第３基板部２１ａ３との間）に絶縁部材２３を配置し、空間距離Ｌ５、Ｌ６を実質的に０（絶縁部材２３の厚み分）にすることで、生体情報検出センサ２０の、複数の第１基板の配置方向（図９中Ｙ方向）の寸法を短くしたこと、によるものである。
【００５７】
次に、リジッド基板２２の変形例について説明する。図１０は、リジッド基板２２の変形例を説明するための図である。なお、図１０中、筐体２４、バネ接点２７等は省略されている。
【００５８】
図１０に示すように、本変形例のリジッド基板２２は、多段配置された３枚のリジッド基板、具体的には、アナログ回路が実装された第１リジッド基板２２Ａ、電極６３から耐圧抵抗２６を介して生体情報が入力される入力部が実装された第２リジッド基板２２Ｂ、デジタル回路が実装された第３リジッド基板２２Ｃを備える。
【００５９】
第２リジッド基板２２Ｂには、アンテナからの電波が遮断されるのを抑制するため、第３リジッド基板２２Ｃに実装されたアンテナに対応する箇所に切り欠き部２２Ｂ１が設けられる。
【００６０】
フレキシブル基板２１は、一部が第２リジッド基板２２Ｂに固定され、かつ、第２リジッド基板２２Ｂの一辺から当該一辺に対して平行（又は略平行）の方向に延びている。
【００６１】
また、フレキシブル基板２１は、蛇腹状に２回折り返され、第１基板部２１ａ１と第２基板部２１ａ２と第３基板部２１ａ３とが多段配置された状態でリジッド基板２２（２２Ａ〜２２Ｃ）に隣接した位置に配置されている。
【００６２】
第１基板部２１ａ１には１つの耐圧抵抗２６が実装され、第２基板部２１ａ２には２つの耐圧抵抗２６が実装され、第３基板部２１ａ３には２つの耐圧抵抗２６が実装される。なお、本変形例では、上記実施形態で説明した３つの耐圧抵抗２６に加え、インピーダンス呼吸用に２つの耐圧抵抗２６が追加されている。なお、上記実施形態においても、インピーダンス呼吸用に２つの耐圧抵抗２６を追加してもよい。
【００６３】
本変形例によっても、上記実施形態と同様の効果を奏することができる。
【００６４】
次に、リジッド基板２２の他の変形例について説明する。図１１は、リジッド基板２２の他の変形例を説明するための図である。なお、図１１中、筐体２４、バネ接点２７等は省略されている。
【００６５】
図１１に示すように、本変形例のリジッド基板２２は、多段配置された３枚のリジッド基板、具体的には、アナログ回路が実装された第１リジッド基板２２Ｄ、電極６３から耐圧抵抗２６を介して生体情報が入力される入力部が実装された第２リジッド基板２２Ｅ、デジタル回路が実装された第３リジッド基板２２Ｆを備える。
【００６６】
第２リジッド基板２２Ｅには、アンテナからの電波が遮断されるのを抑制するため、第３リジッド基板２２Ｆに実装されたアンテナに対応する箇所に切り欠き部２２Ｅ１が設けられる。また、第２リジッド基板２２Ｅには、切り欠き部２２Ｅ１の対角の箇所に切り欠き部２２Ｅ２が設けられる。
【００６７】
また、第１リジッド基板２２Ｄには、第２リジッド基板２２Ｅに設けられた切り欠き部２２Ｅ２に対応する箇所に切り欠き部２２Ｄ１が設けられる。これにより、第１リジッド基板２２Ｄに設けられた切り欠き部２２Ｄ１と第２リジッド基板２２Ｅに設けられた切り欠き部２２Ｅ２とは重なって、フレキシブル基板２１の設置スペースを構成する。
【００６８】
フレキシブル基板２１は、一部が第２リジッド基板２２Ｅに固定され、かつ、第２リジッド基板２２Ｅの一辺（切り欠き部２２Ｅ２を構成する一辺２２Ｅ３）から当該一辺２２Ｅ３に対して平行（又は略平行）の方向に延びている。
【００６９】
また、フレキシブル基板２１は、蛇腹状に２回折り返され、第１基板部２１ａ１と第２基板部２１ａ２と第３基板部２１ａ３とが多段配置された状態で、上記フレキシブル基板２１の設置スペースに配置されている。
【００７０】
第１基板部２１ａ１には１つの耐圧抵抗２６が実装され、第２基板部２１ａ２には２つの耐圧抵抗２６が実装され、第３基板部２１ａ３には２つの耐圧抵抗２６が実装される。なお、本変形例では、上記実施形態で説明した３つの耐圧抵抗２６に加え、インピーダンス呼吸用に２つの耐圧抵抗２６が追加されている。
【００７１】
本変形例によっても、上記実施形態と同様の効果を奏することができる。
【００７２】
次に、リジッド基板２２の他の変形例について説明する。図１２は、リジッド基板２２の他の変形例を説明するための図である。なお、図１２中、筐体２４、バネ接点２７等は省略されている。
【００７３】
図１２に示すように、本変形例のリジッド基板２２は、多段配置された２枚のリジッド基板、具体的には、電極６３から耐圧抵抗２６を介して生体情報が入力される入力部が実装された第１リジッド基板２２Ｇ、アナログ回路及びデジタル回路が実装された第２リジッド基板２２Ｈを備える。
【００７４】
第１リジッド基板２２Ｇには、アンテナからの電波が遮断されるのを抑制するため、第２リジッド基板２２Ｈに実装されたアンテナに対応する箇所に切り欠き部２２Ｈ１が設けられる。
【００７５】
フレキシブル基板２１は、一部が第１リジッド基板２２Ｇに固定され、かつ、第１リジッド基板２２Ｇの一辺から当該一辺に対して直角（又は略平行）の方向に延びている。
【００７６】
また、フレキシブル基板２１は、蛇腹状に２回折り返され、第１基板部２１ａ１と第２基板部２１ａ２と第３基板部２１ａ３とが多段配置された状態でリジッド基板２２（２２Ｇ〜２２Ｈ）に隣接した位置に配置されている。
【００７７】
第１基板部２１ａ１には１つの耐圧抵抗２６が実装され、第２基板部２１ａ２には２つの耐圧抵抗２６が実装され、第３基板部２１ａ３には２つの耐圧抵抗２６が実装される。なお、本変形例では、上記実施形態で説明した３つの耐圧抵抗２６に加え、インピーダンス呼吸用に２つの耐圧抵抗２６が追加されている。
【００７８】
本変形例によっても、上記実施形態と同様の効果を奏することができる。
【００７９】
上記実施形態では、第１接続部及び第３接続部としての屈曲部２１ｃ、並びに、第２接続部としての屈曲部２１ｂとして、フレキシブル基板２１の一部を用いた例について説明したが、これに限らない。例えば、屈曲部２１ｃ及び屈曲部２１ｂに代えて、リード線やジャンパ線等の配線を用いてもよい。この場合、第１基板部２１ａ１、第２基板部２１ａ２、第３基板部２１ａ３として、フレキシブル基板２１に代えて、リジッド基板を用いてもよい。
【００８０】
また、上記実施形態では、絶縁部材２３として、フレキシブル基板２１に巻き付けられた耐高電圧シートを用いた例について説明したが、これに限らない。例えば、絶縁性のあるビニールテープであってもよいし、絶縁性のある固体（例えば、絶縁板又は絶縁プレート）であってもよい。
【００８１】
また、上記実施形態では、耐圧抵抗２６が電気的に接続され、かつ、電極パッド６０に設けられた接点６１に電気的に接続される接点として、バネ接点２７を用いた例について説明したが、これに限らない。例えば、耐圧抵抗２６が電気的に接続され、かつ、電極パッド６０に設けられた接点６１に電気的に接続される接点として、バネ接点２７以外の通常の接点を用いてもよい。また、耐圧抵抗２６と導電部２５とを、バネ接点２７によることなく、リード線等の配線を用いて電気的に接続してもよい。
【００８２】
上記実施形態で示した各数値は全て例示であり、これと異なる適宜の数値を用いることができるのは無論である。
【００８３】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００８４】
１０…医用テレメータシステム、２０…生体情報検出センサ、２１、２１Ａ〜２１Ｃ…フレキシブル基板、２２、２２Ａ〜２２Ｈ…リジッド基板、２３…絶縁部材、２４…筐体、２５…導電部、２６…耐圧抵抗、２７…バネ接点、５０…患者、Ｌ１、Ｌ２、Ｌ４〜Ｌ６…空間距離、Ｌ３…沿面距離
【図１】
2018175772.tif 000003
【図２】
2018175772.tif 000004
【図３】
2018175772.tif 000005
【図４】
2018175772.tif 000006
【図５】
2018175772.tif 000007
【図６】
2018175772.tif 000008
【図７】
2018175772.tif 000009
【図８】
2018175772.tif 000010
【図９】
2018175772.tif 000011
【図１０】
2018175772.tif 000012
【図１１】
2018175772.tif 000013
【図１２】
2018175772.tif 000014